(57)【要約】【課題】本発明は、ランプ保持部の前側に位置する表示面の周縁部における輝度ムラが改善される液晶表示装置及び斯かる液晶表示装置に好適な光源装置を提供する。【解決手段】断面略Ｕ字形状を有する拡散板支持部９が、ランプ７の両端を覆うように設けられている。拡散板支持部９の支持面部９２は、拡散板６の後面の周縁部を表示パネル１及びランプ７の間に配するよう支持する。ランプ７から出射した光の一部は、表示パネル１を前後に挟持する前側挟持枠体２及び後側挟持枠体３のうち、後側挟持枠体３の後面に形成された第２反射面と、拡散板支持部９の支持面部９２に形成された第１反射面との間で多重反射し、光学シート積層体５が前面側に設けられた拡散板６を介して集光及び拡散されて表示パネル１の後面の周縁部に入射し、表示面の周縁部における輝度が増大する。【選択図】図２
2009104946.tif 000002
【特許請求の範囲】
【請求項１】
前側に表示面を有する表示パネルの前面及び後面の周縁部を保持する保持枠体と、前記表示パネルの後側に配される直管状のランプと、前記表示パネルの周縁部近傍の後側において前記ランプの両端を保持するランプ保持部と、前記表示パネル及び前記ランプとの間に配される拡散板と、前記ランプの両端の前側に配されており、前記拡散板の後面の周縁部を支持する拡散板支持部とを備えた光源装置において、
前記拡散板支持部又は拡散板の後面の周縁部に形成された第１反射面と、
前記拡散板の後面の周縁部及び前記保持枠体の後面の間、又は該保持枠体の後面に形成された第２反射面と
を備えることを特徴とする光源装置。
【請求項２】
前記保持枠体は、
前記表示パネルの前側に設けられた前側挟持枠体と、前記表示パネルの後側に設けられた後側挟持枠体とが、夫々前記表示パネルの前面及び後面の周縁部を挟んで保持するよう構成してあり、
前記拡散板は、前記後側挟持枠体の後側に配され、
前記拡散板の前面側に光学シートを備え、
前記第２反射面は、
前記光学シートの前面と、
前記光学シートの後面と、
前記拡散板の前面と
のいずれか１つに形成されていること
を特徴とする請求項１に記載の光源装置。
【請求項３】
前記第１反射面は、光反射性樹脂を一体成型してなる前記拡散板支持部に形成されることを特徴とする請求項１又は請求項２に記載の光源装置。
【請求項４】
前記第２反射面は、反射部材を貼着して形成されることを特徴とする請求項１から請求項３までのいずれか一項に記載の光源装置。
【請求項５】
前記後側挟持枠体に貼着された反射部材の一部は、前記拡散板の側面と対面してあることを特徴とする請求項４に記載の光源装置。
【請求項６】
前記光学シートは、積層体からなり、
前記第２反射面は、前記積層体の層間のいずれか１つに形成されていることを特徴とする請求項２から請求項５までのいずれか一項に記載の光源装置。
【請求項７】
前記拡散板支持部は、前記ランプ保持部を覆設してあることを特徴とする請求項１から請求項６までのいずれか一項に記載の光源装置。
【請求項８】
請求項１から請求項７までのいずれか一項に記載の光源装置を備えることを特徴とする液晶表示装置。
【発明の詳細な説明】
【技術分野】
【０００１】
本発明は、ランプ保持部の前側に位置する表示面の周縁部における輝度ムラが改善される液晶表示装置及び斯かる液晶表示装置に好適な光源装置に関する。
【背景技術】
【０００２】
薄型テレビジョン受像機及びノート型パーソナルコンピュータ等に液晶表示装置が広く用いられている。従来、液晶表示装置は、光源装置（バックライト）及び光源装置から出射される光を選択的に透過させて画像を形成する液晶表示パネルが収納された筐体からなる。光源装置には、直管状のランプが側部に配置され、光が導光板により液晶表示パネルの後面に導かれるエッジ型光源装置と、直管状のランプが液晶表示パネルの後側に並置された直下型光源装置とがある。直下型光源装置は、エッジ型光源装置と比較して液晶表示装置の表示面における輝度を増大させることができるため、高精細型薄型テレビ受像機を構成する液晶表示装置の光源装置として用いられている。
【０００３】
図９は従来の直下型光源装置を備えた液晶表示装置の要部を示す模式的拡大断面図である。前側に矩形状の表示面を有し直方体をなす液晶表示パネル１０１と、液晶表示パネル１０１の周縁部を前後に挟んで保持した四角形をなす内外の挟持枠体１０２、１０３とを備え、前側に開口部を有し直方体をなす筐体１０４の開口部を覆うように取着されている。挟持枠体１０２、１０３は、液晶表示パネル１０１を挟着する環板部と、環板部の外端から後方へ向けて延出されている枠部とを有し、挟持枠体１０３が有する枠部の終端が筐体１０４の外側側面に固定されることで、液晶表示パネル１０１を挟持した挟持枠体１０２、１０３が筐体１０４に取着される。
【０００４】
筐体１０４は、液晶表示パネル１０１の表示面の長辺に対して軸方向が略平行となるよう複数本が並置された直管状のランプ１０６を収容しており、内側底面にランプ１０６両端の液晶表示パネル１０１反対側を支持するランプ後面支持部１０７が設けられている。ランプ後面支持部１０７及びランプ１０６の両端には、ランプ１０６が貫通する切欠部を側面に備えた断面略Ｕ字形状を有する拡散板支持部１０８が覆設されている。拡散板支持部１０８は、拡散板１０５を液晶表示パネル１０１と略面平行となるよう支持している。拡散板支持部１０８の内側には、ランプ１０６両端の液晶表示パネル１０１側を支持するランプ前面支持部１０９が設けられている。ランプ後面支持部１０７及びランプ前面支持部１０９は、ランプ保持部を構成し、ランプ１０６の両端を筺体１０４の内側底面に保持する。
【０００５】
ランプ１０６から出射した光は、前面側に光学シートを備える拡散板１０５の後面に入射し、拡散及び集光が施されて液晶表示パネル１０１の後面に入射することにより、液晶表示パネル１０１の表示面の輝度分布の均一化及び前側に向かう表示光の輝度、すなわち正面輝度の向上が図られる。液晶表示パネル１０１の後面の周縁部は、ランプ１０６の中心から離れているため、ランプ１０６から入射する光量が減少し、液晶表示パネル１０１の表示面の外周に沿った枠状領域に輝度ムラが生じる。また、ランプ１０６に冷陰極管を用いた場合に、ランプ１０６の両端に生じる暗部によっても、枠状領域のうち、表示面の短辺に沿った領域に輝度ムラが生じる。従って、従来の液晶表示装置においては、輝度ムラが生じる枠状領域を画像が表示されない額縁領域としていた。
【０００６】
近時、液晶表示装置においては、液晶表示装置の小型化及び表示面の大型化が求められている。このため、額縁領域を可及的に狭くすることが要求されている。特許文献１に記載の液晶表示装置においては、複数本の相互に略平行となるよう配置された直管状のランプ群の列の両端側に平行に一対の導光体を配置することにより、枠状領域のうち、表示面の長辺に沿った領域の輝度を増大させて、斯かる領域の輝度ムラを抑えている。また、特許文献２に記載された液晶表示装置においては、ランプ両端のランプ保持部近傍におけるランプの一部分を反射材で覆うことにより、ランプから出射した光が反射されて枠状領域のうち、表示領域の短辺に沿った領域の輝度を増大させて、斯かる領域の輝度ムラを抑えている。
【特許文献１】特開２００３−３４６５３７号公報
【特許文献２】特開２００３−２１５５８１号公報
【発明の開示】
【発明が解決しようとする課題】
【０００７】
しかしながら、特許文献１及び特許文献２に記載の液晶表示装置においては、枠状領域のうち、ランプ両端のランプ保持部の前側に位置する領域に対して有効でないという問題があった。
【０００８】
本発明は斯かる事情に鑑みてなされたものであり、拡散板の後面の周縁部を支持する拡散板支持部又は拡散板の後面に形成された第１反射面と、拡散板の後面の周縁部及び表示パネルを保持する保持枠体の後面の間又は保持枠体の後面に形成された第２反射面とを備えることにより、ランプから出射して第１反射面及び第２反射面において多重反射した光を表示パネルの後面の周縁部に入射させ、表示面の枠状領域における輝度を増大させて液晶表示装置の額縁領域を狭くすることが可能な光源装置を提供することを目的とする。
【課題を解決するための手段】
【０００９】
本発明に係る光源装置は、前側に表示面を有する表示パネルの前面及び後面の周縁部を保持する保持枠体と、前記表示パネルの後側に配される直管状のランプと、前記表示パネルの周縁部近傍の後側において前記ランプの両端を保持するランプ保持部と、前記表示パネル及び前記ランプとの間に配される拡散板と、前記ランプの両端の前側に配されており、前記拡散板の後面の周縁部を支持する拡散板支持部とを備えた光源装置において、前記拡散板支持部又は拡散板の後面の周縁部に形成された第１反射面と、前記拡散板の後面の周縁部及び前記保持枠体の後面の間、又は該保持枠体の後面に形成された第２反射面とを備えることを特徴とする。
【００１０】
本発明にあっては、ランプから出射した光が、拡散板の後面に入射して拡散板により拡散された後、表示パネルの後面に入射する。また、ランプから出射した光の一部は、拡散板支持部又は拡散板の後面の周縁部に形成された第１反射面と、拡散板の後面の周縁部及び保持枠体の後面の間又は保持枠体の後面に形成された第２反射面とにおいて多重反射し、表示パネルの後面の周縁部に入射して表示パネルの表示面の周縁部における輝度が増大する。
【００１１】
本発明に係る光源装置は、前記保持枠体は、前記表示パネルの前側に設けられた前側挟持枠体と、前記表示パネルの後側に設けられた後側挟持枠体とが、夫々前記表示パネルの前面及び後面の周縁部を挟んで保持するよう構成してあり、前記拡散板は、前記後側挟持枠体の後側に配され、前記拡散板の前面側に光学シートを備え、前記第２反射面は、前記光学シートの前面と、前記光学シートの後面と、前記拡散板の前面とのいずれか１つに形成されていることを特徴とする。
【００１２】
本発明にあっては、表示パネルが前側挟持枠体と後側挟持枠体とにより前後に挟持されている。ランプから出射した光の一部は、拡散板の前面に備えられた光学シートと対面する後側挟持枠体の後面、光学シートの前面、光学シートの後面及び拡散板の前面のいずれか１つに形成された第２反射面と、前述の第１反射面とにおいて多重反射し、表示パネルの周縁部の後面に入射する。表示パネルの周縁部の後面に入射した光により、表示パネルの表示面の周縁部における輝度が増大する。
【００１３】
本発明に係る光源装置は、前記第１反射面は、光反射性樹脂を一体成型してなる前記拡散板支持部に形成されることを特徴とする。
【００１４】
本発明にあっては、ランプから出射した光の一部が、光反射性樹脂を一体成型してなる拡散板支持部の前面に形成された第１反射面と、前述の第２反射面とにおいて多重反射し、表示パネルの後面の周縁部に入射する。表示パネルの後面の周縁部に入射した光により、表示パネルの表示面の周縁部における輝度が増大する。
【００１５】
本発明に係る光源装置は、前記第２反射面は、反射部材を貼着して形成されることを特徴とする。
【００１６】
本発明にあっては、ランプから出射した光の一部が、拡散板の後面の周縁部及び保持枠体の後面の間又は保持枠体の後面に位置するよう反射部材を貼着して形成された第２反射面と、第１反射面とにおいて多重反射して表示パネルの後面の周縁部に入射する。表示パネルの後面の周縁部に入射した光により、表示パネルの表示面の周縁部における輝度が増大する。
【００１７】
本発明に係る光源装置は、前記後側挟持枠体に貼着された反射部材の一部は、前記拡散板の側面と対面してあることを特徴とする。
【００１８】
本発明にあっては、第１反射面及び第２反射面において多重反射した光の一部は、拡散板の側面と対面する反射部材の一部で反射して、再び第１反射面及び第２反射面との間に進入して多重反射する。多重反射を繰り返した光は、表示パネルの後面の周縁部に入射し、表示パネルの表示面の周縁部における輝度が増大する。
【００１９】
本発明に係る光源装置は、前記光学シートは、積層体からなり、前記第２反射面は、前記積層体の層間のいずれか１つに形成されていることを特徴とする。
【００２０】
本発明にあっては、複数のシートを積層した積層体からなる光学シートが拡散板の前面側に設けられている。ランプから出射した光の一部は、第１反射面と、積層された複数のシートの層間に形成された第２反射面とにおいて多重反射し、表示パネルの後面の周縁部に入射して表示パネルの表示面の周縁部における輝度が増大する。
【００２１】
本発明に係る光源装置は、前記拡散板支持部は、前記ランプ保持部を覆設してあることを特徴とする。
【００２２】
本発明にあっては、ランプから出射した光の一部がランプ保持部を覆う拡散板支持部の前面に形成された第１反射面と、前述の第２反射面とにおいて多重反射する。多重反射した光は、ランプ保持部の前側に位置する表示パネルの後面の周縁部に入射してランプ保持部の前側に位置する表示パネルの表示面の周縁部における輝度が増大する。
【００２３】
本発明に係る液晶表示装置は、前述の光源装置を備えることを特徴とする。
【００２４】
本発明にあっては、液晶表示装置に備えられた光源装置から出射した光の一部は、ランプ保持部の前側に位置する表示パネルの後面の周縁部に入射し、ランプ保持部の前側に位置する表示パネルの表示面の周縁部における輝度が増大する。
【発明の効果】
【００２５】
本発明にあっては、ランプから出射した光の一部を拡散板支持部又は拡散板の後面の周縁部に形成された第１反射面と、拡散板の後面の周縁部及び保持枠体の後面の間、又は保持枠体の後面に形成された第２反射面とにおいて多重反射させ、ランプ保持部の前側に位置する表示パネルの後面の周縁部に入射させて、表示面の周縁部における輝度を増大させることにより、表示面の周縁部における輝度ムラを抑制して液晶表示装置の額縁領域を狭くすることが可能となる。
【発明を実施するための最良の形態】
【００２６】
以下、本発明をその実施の形態を示す図面を参照して具体的に説明する。図１は、本発明に係る光源装置を備えた液晶表示装置を示す模式的斜視図である。図２は、図１のII−II線における液晶表示装置の模式的拡大断面図である。液晶表示装置は、前側に表示面を有し直方体をなす表示パネル１と、表示パネル１の周縁部を前後に挟んで保持した四角形をなす内外の前側挟持枠体２及び後側挟持枠体３からなる保持枠体と、前側に開口部を有し直方体をなす筐体４とを備え、前側挟持枠体２及び後側挟持枠体３からなる保持枠体は、表示パネル１が筺体４の開口部を覆うように筺体４に取着されている。
【００２７】
前側挟持枠体２及び後側挟持枠体３は、夫々表示パネル１を挟着する環板部２１及び環板部３１と、環板部２１及び３１の外端から後方へ向けて、夫々延出されている枠部２２及び枠部３２を有する。また、後側挟持枠体３は、環板部３１の外端から前側へ向けて延出し、挟持枠体２の環板部２１の後面に向けて突出し先端で接触する突起部３３を有する。環板部２１、３１は、液晶パネル１を構成するガラス基板が前側挟持枠体２及び後側挟持枠体３との接触によって損傷を受けることを防止するために、夫々に設けられた枠状をなす緩衝部材２ａ及び３ａを介して表示パネル１を挟持するよう構成される。
【００２８】
光源装置は、前記の前側挟持枠体２及び後側挟持枠体３からなる保持枠体と、表示パネル１の長辺と略並行をなすよう並置された直管状の３本のランプ７を収容する筐体４と、筐体４の底面に設けられたランプ７の両端の表示パネル１反対側を支持するランプ後面支持部８と、表示パネル１及びランプ７との間に配される拡散板６と、拡散板６の後面の周縁部を支持する拡散板支持部９と、ランプ７から表示パネル１反対側に出射した光を表示パネル１側へ反射させる反射シート１１とで構成される。拡散板６は、前面側に積層された２枚の光学シート５１、５２からなる光学シート積層体５を備えており、表示パネル１に対応する大きさの直方体をなし、光学シート積層体５の前面が後側挟持枠体３の環板部３１の後面と間隙を有して対面するよう拡散板支持部９により後面の周縁部が支持されている。
【００２９】
拡散板６は例えばアクリルからなり、一方の面から入射した光を拡散させて他方の面から出射させるべく、表面に凹凸形状を有し微小な粒子を分散させた高分子樹脂等からなる半透明な板である。光学シート積層体５を構成する光学シート５１、５２は、入射光を前側に向けて集光させるプリズムシート及び入射光の偏光面が表示パネル１の偏光面に対応するよう特定の偏光面を有する光を透過させる偏光シート等からなる。拡散板支持部９は、ランプ７の両端近傍に位置する筐体４の側壁と対面する側面部９３、ランプ７が貫通する切欠部を有する傾斜側面部９１、及び拡散板６の後面の周縁部に沿って扁平に形成された支持面部９２とからなる断面略Ｕ字形状を有し、筺体４の側壁に沿って表示パネル１の短辺方向に延びる樋状をなしており、表面に反射面を形成するよう白色等の光反射性樹脂を一体成型してなる。
【００３０】
拡散板支持部９の内側には、ランプ７両端の表示パネル１側を支持するランプ前面支持部１２が設けられている。拡散板支持部９は、ランプ７の両端と、ランプ後面支持部８及びランプ前面支持部１２からなるランプ保持部とを覆うように筐体４の底面に取着されている。拡散板支持部９の支持面部９２は、傾斜側面部９１と連結する境界から所定の距離まで拡散板６の後面の周縁部と面接触し、側面部９３と連結する境界の近傍に拡散板６の側面と略面平行をなし、支持面部９２と略垂直をなす垂直板部９ａが設けられている。
【００３１】
光反射性樹脂を一体成型してなる拡散板支持部９の傾斜側面部９１、支持面部９２及び垂直板部９ａの表面には、ランプ７から出射した光に対する反射面が形成され、支持面部９２に形成された反射面は、本発明における第１反射面として機能する。後側挟持枠体３の環板部３１の後面には、光学シート積層体５の前面と間隙を有して対面する環板状の反射部材１０が貼着されており、反射部材１０は、本発明における第２反射面として機能する。反射部材１０は、例えば、表面に反射面を有する金属板、金属からなる反射層を表面に蒸着した樹脂板又は白色の反射性樹脂板等である。
【００３２】
図３は、図１の III−III 線における液晶表示装置の模式的拡大断面図である。筐体４は、開口部の長辺に沿った周壁端縁から拡散板６の後面に沿って外方へ延出され、反射シート１１の後面の周縁部を支持するシート支持部４ａと、シート支持部４ａの外端から後方へ延出する側壁４ｂとを備える。反射シート１１は、筺体４の底面からシート支持部４ａに渡って前方に向けて立ち上がり、傾斜面部１１ａを形成する。側壁４ｂに設けられた係止爪４ｃにより後側挟持枠体３の枠部３２の端部が係止されている。シート支持部４ａは、反射シート１１の後面の周縁部に沿って扁平に形成されており、拡散板６の後面の周縁部は、シート支持部４ａに支持された反射シート１１の前面側に載置される。また、反射シート１１を支持するシート支持部４ａの支持面には、拡散板６の側面と略面平行をなすと共に、反射シート１１の端部が接しており、支持面と略垂直をなす垂直板部４ｄが設けられている。シート支持部４ａの前面側に載置された反射シート１１の前面の周縁部は、拡散板支持部９の支持面部９２に形成された反射面と共に、本発明における第１反射面として機能する。
【００３３】
ランプ７から表示パネル１に向けて出射した光は、拡散板６を透過して拡散され、光学シート積層体５により集光及び偏光され、表示パネル１の後面に入射する。また、ランプ７から筺体４の底面及び拡散板支持部９の傾斜側面部９１に向けて出射した光は、夫々筺体４の底面に位置する反射シート１１及び光反射性樹脂を一体成型してなる拡散板支持部９の傾斜側面部９１に形成された反射面で反射し、拡散板６及び光学シート積層体５を介して表示パネル１の後面に入射する。ランプ７から筺体４の開口部の長辺と略平行な側壁に向けて出射した光は、反射シート１１の傾斜面部１１ａの反射面で表示パネル１に向けて反射し、拡散板６及び光学シート積層体５を介して表示パネル１に入射する。また、ランプ７から第１反射面及び第２反射面の間に向けて出射した光は、次に述べる多重反射となる光路に沿って進む。
【００３４】
図４は、多重反射となる光路の例を説明するための説明図である。ランプ７から出射した光の一部は、反射部材１０からなる第２反射面に到達し光学シート積層体５の前面に向けて反射される。反射された光は、光学シート積層体５及び拡散板６を介して拡散板支持部９の支持面部９２に形成された第１反射面に到達し、再び拡散板６に向けて反射されることで多重反射が繰り返される。拡散板６を光が通過する都度、光は拡散されて無数の光路を示し、図４に示す光路は、そのうちの１つを例として示している。
【００３５】
従って、ランプ７から出射した光の一部は、第１反射面及び第２反射面の間で多重反射し、斯かる多重反射に伴い光学シート積層体５及び拡散板６を複数回通過し、集光及び拡散が複数回施されて表示パネル１の後面の周縁部を中心に入射する。これにより、表示パネル１の表示面の周縁部における輝度が増大し、輝度ムラが抑制される。また、第１反射面及び第２反射面の間から垂直板部９ａに向けて進んだ光は、垂直板部９ａの表面で第１反射面及び第２反射面間に向けて反射し、再び多重反射して表示パネル１の後面の周縁部に入射し、表示パネル１の表示面の周縁部における輝度が、さらに増大する。
【００３６】
図５は、第２反射面を形成する位置の他の例を示す液晶表示装置の模式的拡大断面図である。図５に示す例では、反射部材１０は、光学シート積層体５の前面に貼着されており、ランプ７から出射した光の一部は、第１反射面と、反射部材１０からなる第２反射面との間で多重反射し、多重反射に伴い光学シート積層体５及び拡散板６により集光及び拡散され、表示パネル１の後面の周縁部を中心に入射し、表示パネル１の表示面の周縁部における輝度が増大する。
【００３７】
図６は、第２反射面を形成する位置の他の例を示す液晶表示装置の模式的拡大断面図である。図６に示す例では、前面に反射部材１０を貼着した拡散板６に光学シート積層体５が積層されることにより、拡散板６及び光学シート積層体５の間に第２反射面が形成されている。ランプ７から出射した光の一部は、第１反射面及び第２反射面の間で多重反射し、多重反射に伴い拡散板６により拡散された後、光学シート積層体５により集光されて表示パネル１の後面の周縁部を中心に入射し、表示パネル１の表示面の周縁部における輝度が増大する。
【００３８】
図７は、第２反射面を形成する位置の他の例を示す液晶表示装置の模式的拡大断面図である。図７に示す例では、光学シート積層体５を構成する光学シート５１及び光学シート５２の層間に反射部材１０を挿設して第２反射面を形成している。ランプ７から出射した光の一部は、第１反射面及び第２反射面との間で多重反射し、多重反射に伴い拡散板６及び主に光学シート５２により拡散及び集光された後、表示パネル１の後面の周縁部を中心に入射し、表示パネル１の表示面の周縁部における輝度が増大する。
【００３９】
図８は、反射部材１０の他の例を示す液晶表示装置の模式的拡大断面図である。後側挟持枠体３の環板部３１の後面に貼着される反射部材１０は、環板状を有する場合に限るものではなく、図８に示す如く、反射部材１０の一部を拡散板６の側面と面接触又は近接する側面反射板部１０ｂとし、拡散板６の前面と対面する前面反射板部１０ａ及び側面反射板部１０ｂからなる断面略Ｌ字形状を有するよう形成しても良い。これにより、第１反射面と、前面反射板部１０ａからなる第２反射面との間から垂直板部９ａ側に向けて進んだ光を反射部材１０の側面反射板部１０ｂにより、効率よく第１反射面及び第２反射面の間に向けて反射させて、再度、第１反射面及び第２反射面の間で多重反射させる。これにより、表示パネル１の後面の周縁部に入射する光の光量を増大させて、表示パネル１の表示面の周縁部における輝度をさらに増大させることが可能となる。
【００４０】
第２反射面は、反射部材１０を貼着して形成する場合に限るものではなく、白色等の光反射性塗料を塗布して形成しても良い。また、光学シート積層体５を構成する光学シートの枚数は２枚に限るものではなく、３枚以上でも良い。また、光学シート積層体５は、複数の光学シートから構成される積層体に限るものではなく、一枚の光学シートでも良い。
【図面の簡単な説明】
【００４１】
【図１】本発明に係る光源装置を備えた液晶表示装置を示す模式的斜視図である。
【図２】図１のII−II線における液晶表示装置の模式的拡大断面図である。
【図３】図１の III−III 線における液晶表示装置の模式的拡大断面図である。
【図４】多重反射となる光路の例を説明するための説明図である。
【図５】第２反射面を形成する位置の他の例を示す液晶表示装置の模式的拡大断面図である。
【図６】第２反射面を形成する位置の他の例を示す液晶表示装置の模式的拡大断面図である。
【図７】第２反射面を形成する位置の他の例を示す液晶表示装置の模式的拡大断面図である。
【図８】反射部材の他の例を示す液晶表示装置の模式的拡大断面図である。
【図９】従来の直下型光源装置を備えた液晶表示装置の要部を示す模式的拡大断面図である。
【符号の説明】
【００４２】
１  表示パネル
２  前側挟持枠体
２ａ、３ａ  緩衝部材
３  後側挟持枠体
４  筐体
５  光学シート積層体
５１、５２  光学シート
６  拡散板
７  ランプ
８  ランプ後面支持部
９  拡散板支持部
９ａ  垂直板部
１０  反射部材
１１  反射シート
１２  ランプ前面支持部
２１、３１  環板部
２２、３２  枠部
３３  突起部
９１  傾斜側面部
９２  支持面部
９３  側面部
【図１】
2009104946.tif 000003
【図２】
2009104946.tif 000004
【図３】
2009104946.tif 000005
【図４】
2009104946.tif 000006
【図５】
2009104946.tif 000007
【図６】
2009104946.tif 000008
【図７】
2009104946.tif 000009
【図８】
2009104946.tif 000010
【図９】
2009104946.tif 000011